(57)【要約】【課題】二本柱事務机を提供する。【解決手段】２個の固定立柱、２個の導引柱、少なくとも１個のスチールボールセット、２個の駆動ユニット、天板５を有する。２個の固定立柱は相対して直立設置され、底部に机足１２が設置され、２個の固定立柱間に接続ポスト６が横方向に固定設置される。２個の導引柱は２個の固定立柱内にそれぞれ設置され、頂部は天板５上にそれぞれ固定され、導引柱の底端に外へと突出する位置制限構造が設置される。スチールボールセットは２個の導引柱上にそれぞれ嵌めて設置され、固定立柱の内壁面と導引柱の外壁面の間に位置し、２個の駆動ユニットは２個の導引柱内にそれぞれ設置される。駆動ユニットの底端は机足１２上にそれぞれ固定され、天板５の頂部には２個の駆動ユニットとそれぞれ接続する昇降コントロールスイッチ９が設置される。天板５の底面には導引柱固定台が固定される。【選択図】図１
2019111337.tif 000002
【特許請求の範囲】
【請求項１】
２個の固定立柱、２個の導引柱、少なくとも１個のスチールボールセット、２個の駆動ユニット、天板を有する二本柱事務机であって、
前記２個の固定立柱は、相対して直立設置され、前記２個の固定立柱の底部には机足が設置され、前記２個の固定立柱の間には、接続ポストが横方向に固定して設置され、
前記２個の導引柱は、前記２個の固定立柱内にそれぞれ設置され、前記２個の固定立柱の頂部は前記天板上にそれぞれ固定され、前記導引柱の底端には、それぞれ外へと突出する位置制限構造が設置され、
前記少なくとも１個のスチールボールセットは、前記２個の導引柱上にそれぞれ嵌めて設置され、前記固定立柱の内壁面と前記導引柱の外壁面との間に位置し、
前記２個の駆動ユニットは、前記２個の導引柱内にそれぞれ設置され、前記駆動ユニットの底端は、前記机足上にそれぞれ固定され、
前記天板の頂部には、前記２個の駆動ユニットとそれぞれ接続する昇降コントロールスイッチがそれぞれ設置され、前記天板の底面には、導引柱固定台が固定され、前記導引柱固定台は、前記２個の導引柱及び前記２個の駆動ユニットの頂端に固定され、又は前記昇降コントロールスイッチの端部は、前記導引柱固定台内に設置されることを特徴とする、二本柱事務机。
【請求項２】
前記位置制限構造は、前記導引柱の底端に、外へと突出するＣ型バックルを有することを特徴とする、請求項１に記載の二本柱事務机。
【請求項３】
前記スチールボールセットのケーシングはプラスチック材質で製造され、
前記ケーシングの表面には、スチールボールが嵌めて入れられ、
前記スチールボールは、前記固定立柱及び前記導引柱と接触し、
これにより前記導引柱が前記固定立柱に相対して昇降する時にはローリング摩擦が生じることを特徴とする、請求項１に記載の二本柱事務机。
【請求項４】
前記固定立柱と前記導引柱の間には、多数の前記スチールボールセットが設置され、
隣り合う２個の前記スチールボールセットの間には、間隔柱が設置可能であり、
前記導引柱の底端に位置する前記スチールボールセットは、前記位置制限構造により位置を制限されることを特徴とする、請求項１に記載の二本柱事務机。
【請求項５】
前記２個の駆動ユニットは、それぞれガス圧ロッドが設置されたガススプリングであり、
前記ガス圧ロッドの頂端と前記導引柱固定台とは接続することを特徴とする、請求項１に記載の二本柱事務机。
【請求項６】
前記２個の固定立柱と前記２個の導引柱の外側には、装飾カバーが設置され、
前記装飾カバーの断面は八辺形で、前記２個の固定立柱の相対面の頂部及び前記２個の導引柱の相対面上には、前記接続ポストと対応する開槽が設置されることを特徴とする、請求項１に記載の二本柱事務机。
【発明の詳細な説明】
【技術分野】
【０００１】
本発明は事務用品の技術領域に関する。特に上下方向に安定して昇降させることができ、使用者の意図しない傾斜を生ずることがない二本柱事務机であって、人体工学原理に適合している二本柱事務机に関する。
【背景技術】
【０００２】
現在一般に使用されている机は、通常は一定の高さを備えており、その高さを調整することはできない。
使用時の机の高さが固定されているため、使用者に応じて机の高さを変えたい場合、その実用性は大幅に低下し、人体工学にも適合していない。
そのため、天板の高さを任意に調整できる昇降装置が開発されている。
【０００３】
２０１３年９月１１日に公告された特許文献１の「昇降装置」は、上台と、上台下方に取り付けられるガス圧ロッドと、上台から下方へと延伸する２個のサポートポストと、及びガス圧ロッドと２個のサポートポストを嵌めて接続する下台とを有する。
各サポートポストは、外縁面、外縁面に嵌めて接続される少なくとも１個の嵌めリングと、及び嵌めリングに可動するように設置され、外縁面に密着する多数の円球と、を有する。
下台は、直立台、直立台を貫通し、ガス圧ロッドを通して組み付ける穿孔と、及び直立台内に設置し、２個のサポートポストを穿入させる２個のスリーブと、を有する。
スリーブは、多数の円球と密着する内縁面を有する。
特許文献１の「昇降装置」は、２個のサポートポストを利用し、ガス圧ロッドの物件サポートを補助し、これにより、昇降過程で、安定移動の状態を保持できる。また、多数の円球により、２個のサポートポストは、２個のスリーブ内でスムーズに阻害するものがない状態で、上、下にスライド移動でき、安定性に優れている。
【０００４】
しかし、特許文献１の昇降装置は、各サポートポストの外縁面において、間隔をあけて、多数の嵌めリングを接続する必要があり、各嵌めリングには、可動するように多数の円球を取り付ける必要がある。
よって、組み立て作業が複雑で時間がかかる。また、各円球は点接触方式で、サポートポストの外縁面とスリーブの内縁面に接触するため、点接触圧力が大きいだけでなく体積も大きく、特に楕円形の机面に円柱形の可動管を対応させれば、外観的に合わないだけでなく、美しくない。
【０００５】
そのため、２０１７年８月２９日に公告された特許文献２の「昇降装置」は、駆動ユニット、可動管、及びローリングユニットを有する。
その駆動ユニットは、対象底面に一端が連設される作動ポストと、作動ポスト外周に固設され、軸方向に沿って延伸する平直面の少なくとも２個のスリーブと、作動ポスト反対端に設置され、作動ポストを駆動してスリーブに相対して伸縮可動させられる作動シリンダーと、及び作動シリンダーに連設され、作動シリンダーの開閉作動を制御できる制御部材と、を有する。
可動管は、スリーブ外に嵌めて設置され、可動管の一端は、「昇降装置」の底面に連設され、作動ポストはスリーブに相対して伸縮可動する時に、可動管の昇降移動を同期連動できる。
ローリングユニットは、可動管に回転するように設置され、スリーブの各平直面に常に接触する多数のローターを有する。
これにより、特許文献２の「昇降装置」は、安定的に物件を連動して昇降、変位させることができる。
図６に示す通り、特許文献２のスリーブＡは正六辺形の構造であるため、軸方向に沿って延伸する６個の平直面Ａ１を有する。
可動管Ｂは同様に、正六辺形の構造に形成され、可動管Ｂは、６個の平直面Ａ１に対応し、６個の内壁面Ｂ１を有する。
可動管Ｂの６個の内壁面Ｂ１上には、間隔をあけて３組のローリングユニットＣをそれぞれ設置され、３組のローリングユニットＣにより、スリーブＡと可動管Ｂとは、相対移動が可能である。
机面を昇降させる必要がある時には、駆動ユニットの作動ポストＤと可動管Ｂの頂端とは、相互に机面（図示なし）に接続するため、可動管Ｂは、作動ポストＤの伸展連動を受けて上昇し、同時に机面を連動して昇降させ、その高さを調整する。
【０００６】
しかし、このような使用を一定期間続けた後に以下の欠点があることが分かった。
正六辺形の可動管Ｂ上には、３組のローリングユニットＣのみが設置され、ローリングユニットＣが設置されていない平直面Ａ１と内壁面Ｂ１との間には、間隙が生じて緩む。
よって、机面が一定の高さまで昇降すると、机面の荷重が偏り、又は昇降の高さが高すぎると、可動管Ｂは、間隙の生じた位置へと傾斜を形成しやすい。
特許文献１の「昇降装置」と同様に、体積が大きくなり、見た目が合わず、美しくないと言う欠点も存在する。
【先行技術文献】
【特許文献】
【０００７】
【特許文献１】中華民国実用新案登録第Ｍ４６１６２３号明細書
【特許文献２】米国発明特許第ＵＳ９７４３７５５号明細書
【発明の概要】
【発明が解決しようとする課題】
【０００８】
前記先行技術には、机面が一定の高さまで昇降すると机面の荷重が偏り、又は昇降の高さが高すぎると可動管が間隙の生じた位置へと傾き、さらに体積が大きく見た目が合わず美しくないという欠点がある。
本発明は、垂直安定を保持でき、傾きの恐れがなく、組み合わせやすく、見た目が美しい二本柱事務机を提供することを目的とする。
【課題を解決するための手段】
【０００９】
本発明による二本柱事務机は、２個の固定立柱と、２個の導引柱と、少なくとも１個のスチールボールセットと、２個の駆動ユニットと、天板と、を有する。
該２個の固定立柱は、相対して直立設置され、底部には、机足を設置し、該２個の固定立柱の間には、接続ポストを横方向に固定して設置され、２個の導引柱は、該２個の固定立柱内にそれぞれ設置され、頂部は、天板上にそれぞれ固定される。
該導引柱の底端にはすべて、外へと突出する位置制限構造が設置される。
該少なくとも１個のスチールボールセットは、該２個の導引柱上にそれぞれ嵌めて設置され、固定立柱の内壁面と導引柱の外壁面の間に位置する。
該２個の駆動ユニットは、該２個の導引柱内にそれぞれ設置され、駆動ユニットの底端は、机足上にそれぞれ固定される。
該天板の頂部には２個の駆動ユニットとそれぞれ接続する昇降コントロールスイッチを設置し、該天板の底面には、導引柱固定台が固定され、該導引柱固定台は、該２個の導引柱及び該２個の駆動ユニットの頂端に固定され、又は該昇降コントロールスイッチの端部は、該導引柱固定台内に設置される。
【００１０】
好ましくは、該位置制限構造は、導引柱底端に、外へと突出するＣ型バックルが設置される。
【００１１】
好ましくは、該スチールボールセットのケーシングは、プラスチック材質で製造され、ケーシング表面に、スチールボールを嵌めて入れ、スチールボールは、固定立柱及び導引柱と接触し、これにより導引柱が、固定立柱に相対して昇降する時、ローリング摩擦を生ずる。
【００１２】
好ましくは、該固定立柱と導引柱の間には、多数のスチールボールセットが設置され、隣り合う２個のスチールボールセットの間には、間隔柱が設置可能であり、導引柱底端に位置するスチールボールセットは、位置制限構造により位置を制限される。
【００１３】
好ましくは、該２個の駆動ユニットは、それぞれガス圧ロッドが設置されたガススプリングであり、該ガス圧ロッドの頂端と導引柱固定台とは接続する。
【００１４】
好ましくは、該２個の固定立柱と２個の導引柱の外側には、装飾カバーが設置され、該装飾カバーの断面は八辺形で、該２個の固定立柱の相対面の頂部及び２個の導引柱の相対面上には、接続ポストと対応する開槽が設置される。
【００１５】
従来の技術と比較すると、本発明は以下の長所を備える。
１．２個の固定柱間に横方向に固定される接続ポストにより、２個の導引柱は相対して常に垂直安定を保持するため、傾く恐れはない。
２．２個の導引柱内にはそれぞれガス圧ロッドが設置され、２個のガス圧ロッドは同時に昇降コントロールスイッチにより昇降を制御されるため、机面昇降の安定が確保でき、机面が傾かず、またいかなる位置で机面が圧力を受けてもぐらつくことはない。
３．２個の固定柱と２個の導引柱の間とはスチールボールセットによりスライドし、ローリング摩擦を生ずるため、接触してスライドする時にも静かで、同時に昇降もスムーズである。
【図面の簡単な説明】
【００１６】
【図１】本発明による実施形態の斜視図。
【図２】本発明による実施形態である図１の側面図。
【図３】本発明による実施形態である図２中のＩＩＩ-ＩＩＩ断面図。
【図４】本発明による実施形態である図３中のＩＶ部分の拡大断面図。
【図５】本発明による実施形態である図４中のＶ-Ｖ断面図。
【図６】従来の机の昇降装置の水平断面図。
【発明を実施するための形態】
【００１７】
（一実施形態）
図１及び図５に示す通り、本発明による実施形態の二本柱事務机は、２個の固定立柱１、２個の導引柱２、少なくとも１個のスチールボールセット３、２個の駆動ユニット４及び天板５を有する。
【００１８】
２個の固定立柱１は、相対して直立設置される。
２個の固定立柱１は管状で、２個の固定立柱１の底部には、机足１２が設置される。
の２個の固定立柱１の間には、接続ポスト６が横方向に固定して設置され、これにより昇降過程での垂直安定が保持され、傾きを生ずる恐れはない。
【００１９】
２個の導引柱２は、２個の固定立柱１内にそれぞれ設置され、頂部は、天板５上にそれぞれ固定される。
導引柱２の断面形状は、円形管状を呈し、２個の導引柱２の底端は自由端で、固定立柱１の表面に沿って自由昇降し、導引柱２の底端にはすべて、外へと突出するＣ型バックル７が設置される（図４参照）。
【００２０】
少なくとも１個のスチールボールセット３は、２個の導引柱２上にそれぞれ嵌めて設置され、固定立柱１の内壁面と導引柱２の外壁面との間に位置する。
スチールボールセット３のケーシングは、プラスチック材質で製造され、ケーシング表面に、スチールボールを嵌めて入れ、スチールボールは、固定立柱１及び導引柱２と接触する。
これにより、導引柱２が、固定立柱１に相対して昇降する時、ローリング摩擦を生じ、昇降はよりスムーズとなる。
昇降のスムーズ効果を高めるため、固定立柱１と導引柱２との間には、多数のスチールボールセット３が設置され、隣り合う２個のスチールボールセット３の間には、間隔柱８が設置可能であり、スチールボールセットの使用数量を節約できると同時に、ローリング摩擦の面積を拡大することができる。
この他、導引柱２底端のＣ型バックル７の作用により、スチールボールセット３と間隔柱８の脱落が防止される。
【００２１】
２個の駆動ユニット４は、２個の導引柱２内にそれぞれ設置され、駆動ユニット４の底端は、机足１２上にそれぞれ固定される。
又は、２個の駆動ユニット４は、それぞれガス圧ロッド４１が設置されるガススプリングである（図４参照）。
【００２２】
天板５は、２個の駆動ユニット４及び２個の導引柱２に従い、同期して昇降される。
又は、天板５の頂部には、昇降コントロールスイッチ９が設置される（図２参照）。
これにより、２個の駆動ユニット４のガス圧ロッド４１がコントロールされ、ガス圧ロッド４１が昇降する。
天板５の底面には、導引柱固定台１０が固定され（図３参照）、導引柱固定台１０は、２個の導引柱４及び２個のガス圧ロッド４１の頂端に固定され、又は昇降コントロールスイッチ９の端部は、導引柱固定台１０内に設置される。
【００２３】
図２及び図４に示す通り、使用時に天板５の高さを下方へと下げる際には、昇降コントロールスイッチ９を動かし、力を加え、２個の駆動ユニット４のガス圧ロッド４１を下方へと収縮させる。
２個のガス圧ロッド４１及び２個の導引柱２の頂端は、いっしょに天板５底面の導引柱固定台１０に固定されているため、２個のガス圧ロッド４１が下方へと収縮すると、２個の導引柱２及び天板４が連動して下方へと同期しながら降下する。
２個の導引柱２が下方へと効果する移動の過程において、２個の導引柱２の外壁面は、スチールボールセット３と相対して接触しながらスライド移動する（図５参照）。これにより昇降過程はよりスムーズとなり、省力化される。
【００２４】
天板５を上げる際には、昇降コントロールスイッチ９を動かせば、天板４は自動的に上昇する。
２個の導引柱２及びスチールボールセット３を上方へとスライド移動させる作動方式は、上述の下方へと天板を降下させる際の作動方式と相同であるため、再度の説明は行わない。
上昇においても、下降と同様に、２個の導引柱２は、相対して常に垂直安定性を保持することができ、傾斜することはない。
【００２５】
事務机の美観効果を確保するため、２個の固定立柱１と２個の導引柱２の外側には、装飾カバー１１が設置される（図１参照）。
装飾カバー１１の断面は八辺形で、２個の固定立柱１相対面の頂部及び２個の導引柱２の相対面上には、開槽１３が設置される。
開槽１３には、接続ポスト６が予め残され、これにより２個の導引柱２は、スムーズに上下昇降移動を行うことができる。
【００２６】
前述した本発明の実施形態は本発明を限定するものではなく、よって、本発明により保護される範囲は特許請求の範囲を基準とする。
【符号の説明】
【００２７】
１    固定立柱、
２    導引柱、
３    スチールボールセット、
４    駆動ユニット、
４１  ガス圧ロッド、
５    天板、
６    接続ポスト、
７    Ｃ型バックル、
８    間隔柱、
９    昇降コントロールスイッチ、
１０    導引柱固定台、
１１    装飾カバー、
１２    机足、
１３    開槽、
Ａ    スリーブ、
Ａ１  平直面、
Ｂ    可動管、
Ｂ１  内壁面、
Ｃ    ローリングユニット、
Ｄ    作動ポスト。
【図１】
2019111337.tif 000003
【図２】
2019111337.tif 000004
【図３】
2019111337.tif 000005
【図４】
2019111337.tif 000006
【図５】
2019111337.tif 000007
【図６】
2019111337.tif 000008